(57)【要約】 【課題】ヘアライン模様を部分的に形成する場合に、多彩な装飾パターンの形成を可能とする新規なヘアライン模様付き金属容器およびその製造方法を提供する。【解決手段】円筒状の容器胴部２表面に多数の微細な凹凸線条３１によって構成されるヘアライン模様パターン部３が設けられたヘアライン模様付き金属容器において、容器胴部２表面に軸方向に延びて少なくとも一端が容器胴部２の中途部に位置する加工ライン３ａを想定し、加工ライン３ａを軸方向の位相を変化させつつ周方向に移動させた移動領域をヘアライン模様を形成するヘアライン模様パターン部３とし、容器胴部２表面をヘアライン模様パターン部３と地肌部４とに区画したことを特徴とする。【選択図】  図１    
2005231316.tif 000002
【特許請求の範囲】
【請求項１】
円筒状の容器胴部表面に多数の微細な凹凸線条によって構成されるヘアライン模様が形成されたヘアライン模様付き金属容器において、
前記容器胴部表面に軸方向に延びて少なくとも一端が容器胴部の中途部に位置する加工ラインを想定し、該加工ラインを軸方向の位相を変化させつつ周方向に移動させた移動領域をヘアライン模様を形成するヘアライン模様パターン部とし、容器胴部表面をヘアライン模様パターン部と地肌部とに区画したことを特徴とするヘアライン模様付き金属容器。
【請求項２】
地肌部は鏡面光沢を有していることを特徴とする請求項１に記載のヘアライン模様付き金属容器。
【請求項３】
ヘアライン模様パターン部は容器胴部の円周方向全周的に設けられている請求項１または２に記載のヘアライン模様付き金属容器。
【請求項４】
ヘアライン模様パターン部は容器胴部の円周方向に部分的に設けられている請求項１または２に記載のヘアライン模様付き金属容器。
【請求項５】
円筒状の容器胴部表面に多数の微細な凹凸線条によって構成されるヘアライン模様を加工するヘアライン模様付き金属容器の製造方法であって、
容器胴部に対してヘアライン模様加工手段を軸方向に部分的に接触させ、前記容器胴部とヘアライン模様加工手段を相対的に回転させながら軸方向に相対移動させることにより、前記容器胴部表面にヘアライン模様を部分的に加工することを特徴とするヘアライン模様付き金属容器の製造方法。
【発明の詳細な説明】
【技術分野】
【０００１】
本発明は、飲料缶等の金属容器に関し、特に容器胴部にヘアライン模様の装飾を施したヘアライン模様付き金属容器に関する。
【背景技術】
【０００２】
従来のこの種のヘアライン模様を付した金属容器としては、例えば特許文献１に記載のように、円筒形状の胴部表面全体に多数の凹凸線条よりなるヘアライン模様を施すものであった。ヘアライン模様の加工は、金属容器の胴部をマンドレルに保持して回転させ、容器胴部と平行に配置される砥石等の加工具を回転させて容器胴部に全長にわたって接触させ、金属容器の表面に凹凸線条を加工するようになっていた。
【０００３】
しかし、胴部全面にヘアライン模様を付したものでは、高級な質感は出るものの、装飾としては平凡な印象でしかなく、消費者に対してより訴求力の大きいヘアライン模様を用いた装飾技術の開発が要請されている。
そこで、砥石等の加工具を部分的に容器胴部表面に接触させて所定幅のヘアライン模様を部分的に形成し、容器胴部表面をヘアライン模様と容器の地肌部によって区画して装飾効果を高めることが考えられる。
しかし、この方法ではヘアライン模様と地肌との境界は周方向に直線的な形状しか加工できず、デザインの自由度に乏しいという問題がある。
【特許文献１】特開平９−５８１０９号、図１０
【発明の開示】
【発明が解決しようとする課題】
【０００４】
本発明は上記した従来技術の課題を解決するためになされたもので、その目的とするところは、ヘアライン模様を部分的に形成する場合に、簡単な構成で多彩なパターンの形成を可能とする新規なヘアライン模様付き金属容器およびその製造方法を提供することにある。
【課題を解決するための手段】
【０００５】
上記目的を達成するために、請求項１に係る発明は、円筒状の容器胴部表面に多数の微細な凹凸線条によって構成されるヘアライン模様が形成されたヘアライン模様付き金属容器において、前記容器胴部表面に軸方向に延びて少なくとも一端が容器胴部の中途部に位置する加工ラインを想定し、加工ラインを軸方向の位相を変化させつつ周方向に移動させた移動領域をヘアライン模様を形成するヘアライン模様パターン部とし、容器胴部表面をヘアライン模様パターン部と地肌部とに区画したことを特徴とする。
【０００６】
請求項２に係る発明は、地肌部は鏡面光沢を有していることを特徴とする。
【０００７】
請求項３に係る発明は、ヘアライン模様パターン部は容器胴部の円周方向全周的に設けられていることを特徴とする。
【０００８】
請求項４に係る発明は、ヘアライン模様パターン部は容器胴部の円周方向に部分的に設けられていることを特徴とする。
【０００９】
請求項５に係る発明は、円筒状の容器胴部表面に多数の微細な凹凸線条によって構成されるヘアライン模様を加工するヘアライン模様付き金属容器の製造方法であって、容器胴部に対してヘアライン模様加工手段を軸方向に部分的に接触させ、前記容器胴部とヘアライン模様加工手段を相対的に回転させながら軸方向に相対移動させることにより、前記容器胴部表面にヘアライン模様を部分的に加工することを特徴とする。
【発明の効果】
【００１０】
請求項１に係る発明によれば、加工ラインを円周方向に沿って軸方向の位相を変化させながら移動させた移動領域をヘアライン模様を加工するヘアライン模様パターン部としたので、軸方向の位相を適宜選択することによって、従来では得られなかった多彩なヘアライン模様パターン部を形成することが可能となった。
【００１１】
請求項２に係る発明によれば、地肌部を鏡面光沢とすることにより、ヘアライン模様パターン部とのコントラストによって、立体感のある装飾パターンを得ることができる。
【００１２】
請求項３に係る発明によれば、ヘアライン模様パターン部を容器胴部の円周方向全周的に設けたので、見る方向が限定されない金属容器の用途に適用できる。
【００１３】
請求項４に係る発明によれば、ヘアライン模様パターン部を容器胴部の円周方向に部分的に設けたので、容器に方向性を持たせることにより特徴ある装飾効果を得ることができる。
【００１４】
請求項５に係る発明によれば、容器胴部とヘアライン加工手段を相対的に回転させながら容器胴部の中心軸と平行方向に相対移動させて、ヘアライン模様パターン部と地肌部との境界線の軸方向の位相を円周方向に変化させるように構成したので、容器胴部とヘアライン加工手段の相対回転と平行移動を制御するだけで、多彩な装飾パターンを簡単に加工することができる。
【発明を実施するための最良の形態】
【００１５】
以下に本発明を図示の実施例に基づいて説明する。
図１（Ａ）は、本発明のヘアライン模様付き金属容器の基本構成を示している。
すなわち、このヘアライン模様付き金属容器１は有底円筒形状で、円筒状の容器胴部２表面に多数の微細な凹凸線条３１によって構成されるヘアライン模様３２が形成されたヘアライン模様パターン部３が部分的に設けられている。このヘアライン模様パターン部３の形状は、容器胴部２表面に軸方向に延びて少なくとも一端が容器胴部２の中途部に位置する加工ライン３３を想定し、この加工ライン３３を軸方向の位相を変化させつつ周方向に移動させた移動領域によって決定され、容器胴部２表面をヘアライン模様パターン部３と地肌部４とに区画するようになっている。
【００１６】
この例では、ヘアライン模様パターン部３と地肌部４によって開口端１ａ側と底部１ｂ側の２つの領域に区画した構成で、ヘアライン模様パターン部３は容器胴部２の円周方向全周的に設けられている。加工ライン３３の上端３３ａは容器胴部２の開口端１ａ位置で軸方向の位相は周方向に一定であり、下端３３ｂの軸方向の位相が周方向に変化し、ヘアライン模様パターン部３の地肌部４との軸方向の境界線５（加工ライン３３の下端３３ｂの軌跡）が、円周方向に進むにしたがって開口端１ａ側と底部１ｂ側に交互に変位し、山部５ａと谷部５ｂが繰り返し現れる波形状となっている。
【００１７】
本発明のヘアライン模様付き金属容器は、地肌部４では鏡面光沢により光が鏡面反射し、ヘアライン模様パターン部３では光が拡散反射することになるので、コントラストによってヘアライン模様パターン部３と地肌部４が浮き立つ構成となっている。ヘアライン模様３２の凹凸線条３１の平均表面粗さは、容器の強度が損なわれない程度に容器の肉厚に応じて設定される。たとえば、飲料用のアルミニウムＤＩ缶（絞りしごき成形缶）の場合には、肉厚が１０５μｍ程度と薄いので、平均表面粗さＲａが０．０５〜０．５μｍ程度に設定することが好適である。
【００１８】
ヘアライン模様パターン部３は、基準とする加工ライン３３の軸方向の位相を適宜選択することによって、図１（Ｂ）乃至（Ｅ）に示すような多彩なパターンを形成することができる。
図１（Ｂ）は、所定幅の波形状のヘアライン模様パターン部３Ｂを、容器胴部２の軸方向の中間部に設けた例で、容器胴部２表面が開口端側の第１地肌部４１と、中間のヘアライン模様パターン部３Ｂと、下方の第２地肌部４２との３領域に区画されており、ヘアライン模様パターン部３Ｂの上下縁に、第１，第２地肌部４１，４２との間の２本の境界線５１，５２が形成されている。
この例では、ヘアライン模様パターン部３Ｂは、基準となる加工ライン３３の上下両端３３，３３ｂを共に容器胴部２の軸方向中途位置に位置させた状態で軸方向の位相を変化させつつ周方向に移動させて描かれる移動領域によって画定され、ヘアライン模様パターン部３Ｂの軸方向の幅は円周方向に一定幅で、２本の境界線５１，５２は全く同一形状となっている。
【００１９】
図１（Ｃ）のヘアライン模様パターン部３Ｃは、図１（Ｂ）のヘアライン模様パターン部３Ｂの波形状の山谷の間隔を狭めた例である。
図１（Ｄ）は、ヘアライン模様パターン部３Ｄ１，３Ｄ２を上下に複数、図示例では２箇所に設けた例である。それぞれ、基準とする加工ライン３３の長さ、軸方向の位相を独立して設定したもので、異なる形状パターンとなっている。図示例では、それぞれのパターン形状として図１（Ｂ），（Ｃ）のパターンを例示している。
図１（Ｅ）は、ヘアライン模様パターン部３Ｅを、容器胴部２の軸方向中間位置で、かつ円周方向に部分的に設けた例である。このヘアライン模様パターン部３Ｅの周方向の両端６１，６２は、軸方向に直線状の加工ライン３３の形状が現れる。
なお、ヘアライン模様パターンが形成された容器胴部には、公知の印刷手段により、必要に応じて、文字やロゴ、絵柄、ベタ画像等を印刷することができる。この場合、印刷に用いるインキを透明性インキとすることにより、ヘアライン模様パターンや地肌部を下地として活かした印刷を行うことができる。
【００２０】
図２は本発明のヘアライン模様付き金属容器の加工方法の概念図である。
すなわち、容器胴部２に対してヘアライン加工手段としての弾性砥石１０１（中心軸Ｎ１）を部分的に接触させると共に（接触部が加工ライン３３に対応する）、容器胴部２と弾性砥石１０１を相対的に回転させながら容器胴部２の中心軸Ｎ２と平行方向に相対移動させることにより、容器胴部２表面をヘアライン模様パターン部３と地肌部４とに区画し、ヘアライン模様パターン部３と地肌部４との境界線５の軸方向の位相を円周方向に変化させるようになっている。
【００２１】
ヘアライン加工手段は、弾性砥石１０１に限定されず、硬質の砥石を用いてもよいし、研削ベルトのようなベルト状のものを用いてもよいし、ワイヤーブラシ等を用いてもよく、要するに容器の表面に微細な凹凸線条を形成できるような手段であればよい。
【００２２】
図２では図１（Ａ）に対応する加工方法を示しているが、たとえば、図１（Ｂ）乃至（Ｄ）に示すように、ヘアライン模様パターン部３Ｂ，３Ｃ，３Ｄ１，３Ｄ２を容器胴部２の軸方向中間部分に形成する場合には、弾性砥石１０１をヘアライン模様パターン部の幅に合わせたものを用いるか、ドレッシングによって研磨面をヘアライン模様パターン部の幅に合わせた形状に加工すればよい。
【００２３】
図３は、上記ヘアライン模様付き金属容器を加工するための概略的な装置構成例を示している。
装置構成は、金属容器１を支持するマンドレル１１０と、マンドレル１１０を回転駆動するためのマンドレル駆動装置１２０と、このマンドレル１１０の回転数を計測するエンコーダ１３０と、マンドレル１１０に支持される金属容器１と平行に配置される弾性砥石１０１と、弾性砥石１０１を回転駆動する砥石駆動装置１４０と、この弾性砥石１０１および砥石駆動装置１４０を支持する移動テーブル１５０と、移動テーブル１５０をマンドレル１１０の軸方向に往復移動させるテーブル駆動機構１６０と、これらマンドレル駆動装置１２０，砥石駆動装置１４０およびテーブル駆動装置１６０を制御するシーケンサ１７０とを備えている。
【００２４】
マンドレル駆動機構１２０および砥石駆動装置１４０は、それぞれモータ１２１，１４１および駆動伝達機構１２２，１４２によって構成される。
マンドレル１１０の回転数はエンコーダ１３０によって計測され、このエンコーダ１３０の計測信号がシーケンサ１７０に送られる。シーケンサ１７０には、予め加工するヘアライン模様のパターンが入力されており、エンコーダ１３０から送信されるヘアライン模様付き金属容器１の回転数に同期してテーブル駆動装置１６０が制御され、目的のヘアライン模様が自動的に加工される。
【図面の簡単な説明】
【００２５】
【図１】図１（Ａ）は本発明の一実施例に係るヘアライン模様付きの金属容器を示す斜視図、同図（Ｂ）乃至（Ｅ）はヘアライン模様の各種パターンを示す示す斜視図である。
【図２】図２は本発明のヘアライン模様付き金属容器の加工方法の概念図である。
【図３】図３は本発明のヘアライン模様付き金属容器の加工方法が適用される装置構成例を示す図である。
【符号の説明】
【００２６】
１  ヘアライン模様付き金属容器
１ａ  開口端、１ｂ  底部
２  容器胴部
３  ヘアライン模様パターン部
３１  凹凸線条、３２  ヘアライン模様、
３３  加工ライン、３３ａ  加工ラインの上端、３３ｂ  加工ラインの下端
３Ｂ，３Ｃ，３Ｄ，３Ｅ  ヘアライン模様パターン部
４  地肌部
４１，４２  第１，第２地肌部
５  境界線
５ａ  山部、５ｂ  谷部
５１，５２  境界線
１１０  マンドレル、１２０  マンドレル駆動装置
１３０  エンコーダ、１４０  砥石駆動装置、１０１  弾性砥石、
１５０  移動テーブル、１６０  テーブル駆動機構、１７０  シーケンサ
【図１】
2005231316.tif 000003
【図２】
2005231316.tif 000004
【図３】
2005231316.tif 000005